(57)【要約】【課題】セラミックフィルタの波形を阻害せず、任意のセラミックトラップを用いて、任意の周波数を減衰させ、不要なスプリアスを抑制し、要求特性に忠実なフィルター回路を提供する。【解決手段】セラミックトラップを用いて特定の周波数を減衰させることのできるフィルター回路において、セラミックフィルタと任意の周波数を減衰させるセラミックトラップとの間に増幅器を設けて組み合わされてなる。【効果】セラミックフィルタと任意の周波数を減衰させるセラミックトラップとの間に増幅器を設けて組み合わせてなり、任意のセラミックトラップを用いて、簡単な回路構成で要求特性に忠実なフィルター回路を提供できる。【選択図】  図１
2004208165.tif 000002
【特許請求の範囲】
【請求項１】
セラミックトラップを用いて特定の周波数を減衰させることのできるフィルター回路において、
セラミックフィルタと任意の周波数を減衰させるセラミックトラップとの間に増幅器を設けて組み合わされてなることを特徴とするフィルター回路。
【請求項２】
セラミックトラップを用いて特定の周波数を減衰させることのできるフィルター回路において、
セラミックフィルタの出力側に増幅器が接続され、該増幅器の出力側に複数の任意の周波数を減衰させるセラミックトラップを複数縦続接続されていることを特徴とするフィルター回路
【発明の詳細な説明】
【０００１】
【発明の属する技術分野】
本発明はフィルター回路、より詳しくは特定の周波数の減衰度向上を狙った、セラミックトラップを用いたフィルター回路に関する。
【０００２】
【従来の技術】
【先行技術文献１】実開平２−６６０２６号公報  第１図
【０００３】
従来、狭帯域でかつ高選択度のフィルタ特性を得るために、セラミックトラップの出力側に複数組のセラミックフィルタと増幅器の直列回路を組み合わせた構成の回路が示されている（先行技術文献１参照）。
【０００４】
セラミックフィルタの選択度向上や特定の周波数のスプリアスを抑制するために、セラミックフィルタとセラミックトラップを用いて図６のようなフィルター回路を構成する。
図６のフィルター回路において、信号源ＳＧと入力抵抗Ｒ１を３端子セラミックフィルタＣＦ（例えば、Ｆｏ＝１０．７ＭＨｚ）の入力端子に接続し、３端子セラミックフィルタＣＦの出力端子とアース端子間にセラミックトラップＣＴ（例えば、１１．７ＭＨｚ）と出力抵抗Ｒ２を並列に接続した。そして、出力抵抗Ｒ２の両端からハイインピーダンスプローブを用いて出力電圧ＶＶを測定する。なお、Ｒｇは信号源ＳＧの内部抵抗、Ｃはハイインピーダンスプローブを用いた時の容量である。入出力インピーダンスは、例えば、Ｒｇ＋Ｒ１＝Ｒ２＝３３０Ωである。
【０００５】
この接続回路における周波数特性を図２および図３に示す。
図２は横軸に周波数（９．０ＭＨｚ〜１２．５ＭＨｚ）、縦軸に減衰量Ａｔｔを表した減衰特性であり、図３は図２の特性のトップ波形を拡大して、縦軸に減衰量Ａｔｔと群遅延時間ＧＤを表した、減衰特性と群遅延特性を示したものである。
【０００６】
このセラミックトラップを用いたフィルター回路の特性を図２、図３で示す。減衰特性は点線Ａｔｔ−Ｂで、群遅延特性は点線ＧＤ−Ｂである。
図２、図３より、減衰特性Ａｔｔ−Ｂは、トップ波形（１０．６ＭＨｚ〜１１ＭＨｚ間）においては波形が歪んだ部分Ｒ１、Ｒ２（○部）が発生する。また、群遅延特性ＧＤ−Ｂにおいても通過帯域内における群遅延特性にやや平坦さが欠けている。この現象は、セラミックトラップを加えたためにセラミックトラップ自身のインピーダンスがセラミックフィルタのトップ波形に影響を与えてしまう問題である。このことは、セラミックフィルタの出力インピーダンスとセラミックトラップの入出力インピーダンスが異なるために起こる現象である。また、上記の理由から、複数の任意の周波数をセラミックトラップを複数用いて減衰させることができなかった。
【０００７】
【発明が解決しようとする課題】
本発明は以上のような従来の欠点に鑑み、セラミックフィルタの波形を阻害せず、任意のセラミックトラップを用いて、任意の周波数を減衰させ、不要なスプリアスを抑制し、要求特性に忠実なフィルター回路を提供することを目的としている。
【０００８】
【課題を解決するための手段】
上記目的を達成するために、本発明は、セラミックトラップを用いて特定の周波数を減衰させることのできるフィルター回路において、
セラミックフィルタと任意の周波数を減衰させるセラミックトラップとの間に増幅器を設けて組み合わされてなることを特徴とする。
【０００９】
【発明の実施の形態】
本発明のフィルター回路は、セラミックトラップを用いて特定の周波数を減衰させることのできるフィルター回路において、セラミックフィルタと任意の周波数を減衰させるセラミックトラップとの間に増幅器を設けて、セラミックフィルタとセラミックトラップとのインピーダンスを整合させ、セラミックトラップがフィルタ特性に影響を与えないフィルター回路である。
さらに、セラミックトラップを複数縦続接続して、複数の任意の周波数を減衰させた要求特性に忠実なフィルタ特性を得る。
【００１０】
【実施例】
以下に、本発明の実施例であるフィルター回路を示す。
【００１１】
図１は本発明の請求項１に係るフィルター回路の一実施例を示す回路図である。
図１に示すように、Ｒ１は入力抵抗、ＣＦはセラミックフィルタ、ＡＭＰは増幅器、Ｒ２はセラミックフィルタの出力抵抗、Ｒｆは増幅器の出力抵抗、ＣＴはセラミックトラップである。なお、ＳＧは標準信号発生器であり、Ｒｇはその内部抵抗。ＶＶは電圧計であり、Ｃはその付加容量である。なお、図６と同一構成部分には同一符号を付した。
増幅器ＡＭＰはセラミックフィルタＣＦとセラミックトラップのインピーダンス整合を目的としたもので、ＯＰ  ＡＭＰ（オペ  アンプ）やＭＯＣＦＥＴ（入力がハイ  インピーダンスとなる能動素子）を用いたものでもよい。なお、増幅器ＡＭＰには直流電源Ｂが必要である。
【００１２】
実施例において、例えば、セラミックフィルタＣＦは１０．７ＭＨｚを用い、セラミックトラップＣＴで減衰させる任意の周波数を１１．７ＭＨｚとしたときの周波数特性を図２、図３に示す。  図２は横軸に周波数（９．０ＭＨｚ〜１２．５ＭＨｚ）、縦軸に減衰量Ａｔｔを表した減衰特性であり、図３は図２の特性のトップ波形（１０．６ＭＨｚ〜１１．２ＭＨｚ）を拡大して、縦軸に減衰特性減衰特性Ａｔｔと群遅延特性ＧＤを示したものである。
【００１３】
図１に示す本発明のフィルター回路の特性を図２および図３で示す。
減衰特性は実線Ａｔｔ−Ａで、群遅延特性は実線ＧＤ−Ａで示す。
図２の減衰特性Ａｔｔ−Ａおよび図３のトップ波形である減衰特性Ａｔｔ−Ａ、群遅延特性ＧＤ−Ａで示すように、増幅器を設けない図６のフィルター回路の減衰特性Ａｔｔ−Ｂおよび群遅延特性ＧＤ−Ｂと比較して、減衰特性Ａｔｔ−Ａは波形の歪がなく、群遅延特性ＧＤ−Ａにおいても通過帯域周波数内の群遅延時間は平坦になっている。
このように、３端子セラミックフィルタＣＦとセラミックトラップＣＴの間に増幅器ＡＭＰによるインピーダンス整合することにより、３端子セラミックフィルタの特性であるトップ波形に影響を与えず、任意の周波数を減衰させて、簡単な回路構成で要求特性を得ることができる。
【００１４】
次に、請求項２における実施例として、複数の任意の周波数を減衰するために、セラミックトラップを複数用いたフィルター回路を図４に示す。
図４において、ＣＴ１、ＣＴ２---ＣＴｎは任意の周波数を減衰させるセラミックトラップ、Ｒ３はセラミックトラップの減衰量を調整するための抵抗である。なお、図１と同一構成部分には同一符号を付して重複する説明を省略する。
【００１５】
複数のセラミックトラップとして、例えば、ＣＴ１は１１．７ＭＨｚのセラミックトラップ、ＣＴ２はさらに１１．７ＭＨｚのセラミックトラップを用いて減衰量を大きくする、ＣＴｎは９．８ＭＨｚのセラミックトラップを用い、９．８ＭＨｚの減衰量を調節するために抵抗Ｒ３を用いた。
【００１６】
このフィルター回路の減衰特性を図５に示す。
図５で明らかなように、９．８ＭＨｚのトラップ減衰量を大きくとり、通過帯域幅を急峻にして狭帯域とし選択度を向上させ、１１．５ＭＨｚ以上の周波数におけるスプリアスを抑制したものである。
このように、セラミックトラップを複数縦続接続することにより、複数の任意の周波数を減衰させて、要求特性に忠実なフィルター回路を形成することができる。また、セラミックトラップＣＴｎと抵抗Ｒ３を直列接続することによりセラミックトラップの減衰量を調整することができる。
【００１７】
【発明の効果】
以上の説明から明らかなように、本発明のフィルター回路は、セラミックフィルタと任意の周波数を減衰させるセラミックトラップとの間に増幅器を設けて組み合わせてなり、任意のセラミックトラップを用いて、簡単な回路構成で要求特性に忠実なフィルター回路を提供できる。
【図面の簡単な説明】
【図１】本発明の一実施例であるフィルター回路
【図２】図１の周波数特性
【図３】図２の一部を拡大した周波数特性図
【図４】本発明の他の実施例であるフィルター回路
【図５】図４の周波数特性
【図６】従来のフィルター回路
【符号の説明】
Ｒ１，Ｒ２  抵抗
ＣＦ  セラミックフィルタ
ＣＴ  セラミックトラップ
ＡＭＰ  増幅器
Ｒｆ  帰還用抵抗
【図１】
2004208165.tif 000003
【図２】
2004208165.tif 000004
【図３】
2004208165.tif 000005
【図４】
2004208165.tif 000006
【図５】
2004208165.tif 000007
【図６】
2004208165.tif 000008